(57)【要約】【課題】床下空間と室内空間とを遮断する断熱工事が簡易で、しかも、温水パイプの熱エネルギーを蓄熱するモルタル層と床板（フローリング）との密着性が確保されて伝熱効率が良く、暖房効率の高い床暖房構造を提案すること。【解決手段】木造建築の一般的床組みの大引き１の上面に薄肉合板２を敷設し、薄肉合板２の上面に所要の小間隔で根太３を差し渡しし、各根太３、３間に断熱材４を封入して根太３の上面に厚肉合板５を敷設し、簡易な断熱工事で床下空間６と室内空間７とを遮断して成る床構造を構築し、この厚肉合板５の上面に前記根太３の配設位置と位相を等しくして小根太８を配設し、小根太８の要所に欠切した溝８aを介して各小根太８、８間に温水パイプ９を巡らし、この状態で各小根太８、８間にモルタル層１０を充填し、その上面を小根太８の上面より若干高くしてその上からフローリング１１を圧接し、フローリング１１を小根太８に固定する。【選択図】  図１
0003143337.tif 000002
【実用新案登録請求の範囲】
【請求項１】
木造建築の床組みの大引きの上面に敷設する薄肉合板と、該薄肉合板の上面に所要小間隔で差し渡す根太と、各根太間に充填される断熱材と、該断熱材を封入して各根太上に敷設される厚肉合板とから成る床構造において、
前記厚肉合板の上面で前記根太の配設位置と同一位置に配設される小根太と、各小根太間に連通部を介して連続して配設される温水パイプと、該温水パイプを埋設して小根太の上面より所要分背丈を高くして充填されるモルタル層と、該モルタル層の上面を圧迫状態で各小根太の上面に敷設されるフローリングとから成り、モルタル層の上面とフローリングの下面とが密着されて空隙（断熱層）が形成されないことを特徴とする温水床暖房構造。
【考案の詳細な説明】
【技術分野】
【０００１】
本考案は、温水供給方式による蓄熱タイプの床暖房構造に関する。
【背景技術】
【０００２】
コンクリートやモルタル層中に温水パイプや温水配管を埋設し、該層中に蓄熱して床暖房を行う技術が、登録実用新案第３０５０６３１号公報（特許文献１）、登録実用新案第３０５１７２３号公報（特許文献２）、特開平１１−１９３６２３号公報（特許文献３）、特開２００７−１９８１２２号公報（特許文献４）等に提案されている。その何れも床下空間における断熱工事が大掛りである上、温水パイプや温水配管を埋設するコンクリートやモルタル層の形成が小区画でなされないためにその上面を平滑に確保することが難しく、そのため該上面と床板との間に空隙が生じて床板への効率の良い熱伝導ができない欠点を内在していた。
【特許文献１】登録実用新案第３０５０６３１号公報
【特許文献２】登録実用新案第３０５１７２３号公報
【特許文献３】特開平１１−１９３６２３号公報
【特許文献４】特開２００７−１９８１２２号公報
【考案の開示】
【考案が解決しようとする課題】
【０００３】
そこで本考案は、床下空間と室内空間とを遮断する断熱工事が簡易で、しかも、モルタル層と床板との密着性が確保されて伝熱効率が良く、暖房効率の高い温水床暖房構造を提案しようとする。
【課題を解決するための手段】
【０００４】
本考案の温水床暖房構造は、木造建築の床組みの大引きの上面に敷設する薄肉合板と、該薄肉合板の上面に所要小間隔で差し渡す根太と、各根太間に充填される断熱材と、該断熱材を封入して各根太上に敷設される厚肉合板とから成る床構造において、
前記厚肉合板の上面で前記根太の配設位置と同一位置に配設される小根太と、各小根太間に連通部を介して連続して配設される温水パイプと、該温水パイプを埋設して小根太の上面より所要分背丈を高くして充填されるモルタル層と、該モルタル層の上面を圧迫状態で各小根太の上面に敷設されるフローリングとから成り、モルタル層の上面とフローリングの下面とが密着されて空隙（断熱層）が形成されないことを特徴とする。
【考案の効果】
【０００５】
本考案の温水床暖房構造によれば、木造建築の一般的床組みの大引き上に断熱材を配設して床下空間と室内空間とを遮断する断熱工事が簡易であり、モルタル層を充填する小根太と小根太の間隔が狭いものであるためモルタル層の上面の均一性が確保し易く、そのためモルタル層の上面と小根太に固定されるフローリングの下面とが密着されてフローリングに歪みが発現せず、床鳴りもなく、また、前記上面と下面の両者間に空隙が形成されないからモルタル層からフローリングへの伝熱効率が良く、暖房効率も高くなり、断続運転による暖房が可能となってランニングコストも低コストとなる。さらに、床配管に一切継手を使用しないためモルタル層中への漏水の心配もなく、木工事及び配管工事の施工性もよく工事費が安価となる効果がある。
【考案を実施するための最良の形態】
【０００６】
小根太の要所に設けられる連通部は、温水パイプを挿通できる孔や溝であればその形状は各様に選択される。小根太の配設間隔は、その間に充填されるモルタル層の上面が一目で小根太の上面より突出状態であることが判断できる小間隔（170mm乃至260mm）が最良である。大引きの上面に敷設する薄肉合板とは、その上面の根太間に封入される断熱材を保持できる肉厚のものであればよい。温水パイプは配管作業を考慮すればポリエチレン管が好適である。
【実施例】
【０００７】
本考案の温水床暖房構造Ａを一実施例により説明すると、図１に示すように、木造建築の一般的床組みにおける大引き１の上面に薄肉合板（肉厚5mm）２を敷設し、その上面に小間隔（170mm乃至260mm）で根太（45mm×60mm）３を差し渡しし、各根太３、３間に発泡ウレタン、発泡スチロール、発泡ポリエチレン、グラスウール等の断熱材４を敷き詰め、断熱材４を封入するように各根太３の上面に厚肉合板５を敷設して基本の床構造を構築し、床下空間６と室内空間７とを断熱的に遮断する。
【０００８】
然る後に、厚肉合板５の上面に根太３の配設位置と同位相で小根太（45mm×24mm）８を配設し、各小根太８、８間には隅々まで行き渡るように各小根太８の要所に欠設した連通部としての溝８aを介して直径10mmのポリエチレン管製の温水パイプ９を巡回させ、各小根太８、８間では温水パイプ９に継手を用いることなく床外で給湯機（図外）との接続に継手を用いる。
【０００９】
このようにして巡回させた温水パイプ９は適宜に厚肉合板５に係止され、この状態で各小根太８、８間にモルタル層（セメント１に対して洗い砂３の混合比による。）１０を充填形成する。このとき、モルタル層１０の養生後の収縮度を考慮してモルタル層１０の上面を小根太８の上面より若干突出させてその背丈を高くする。その状態でモルタル層１０を養生し、養生後不陸を調整して各小根太８の上面に差し渡すようにフローリング１１を圧接して敷設すると、モルタル層１０の上面とフローリング１１の裏面とが密着し両者間に空隙が形成されることなく、各フローリング１１は各小根太８に釘（図外）などで固定される。
【００１０】
このようにして成る温水床暖房構造Ａは、図外の給湯機から温水パイプ９へ給湯される熱エネルギーをモルタル層１０に蓄熱し、その熱がフローリング１１に伝熱され、さらに、フローリング１１から室内空間７に放熱されて床暖房を達成する。
【００１１】
このとき、モルタル層１０の上面とフローリング１１の裏面とが密着して断熱空間が形成されないから、モルタル層１０に蓄熱された熱エネルギーが効率よくフローリング１１に伝熱され、暖房効率の高いものとなる。しかも、モルタル層１０による蓄熱のための、給湯運転も断続的なものとなってランニングコストを低コストに抑制できる。また、モルタル層１０とフローリング１１との密着性が良好であることから、フローリング１１に歪みもなく床鳴りも起きない。さらに、温水パイプ９はモルタル層１０の内部で継手によって接続されることがないから、モルタル層中での漏水がなく、メンテナンスも極めて軽微となる。
【００１２】
本実施例では一階部分の床組みにおける温水床暖房構造Ａを示したが、二階部分の床暖房にも使用できることは勿論である。
【産業上の利用可能性】
【００１３】
本考案は、床下の断熱工事が簡易で，しかも温水によるモルタル層での蓄熱エネルギーがモルタル層上面とフローリングとの密着性によって効率よく室内空間へ放熱されるものであるから、一般家庭向きの暖房を達成するものとしてその需要が大いに期待され住宅産業の活性化に貢献できる。
【図面の簡単な説明】
【００１４】
【図１】本考案に係る温水床暖房構造Ａの要部の縦断面図。
【符号の説明】
【００１５】
１：大引き
２：薄肉合板
３：根太
４：断熱材
５：厚肉合板
６：床下空間
７：室内空間
８：小根太
８a：溝
９：温水パイプ
１０：モルタル層
１１：フローリング
Ａ：温水床暖房構造
【図１】
0003143337.tif 000003